【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
識別情報の可変表示が開始されてから識別情報の表示結果が導出されるまでに、前記有利状態に制御されることを予告する複数の予告演出を実行可能な予告演出実行手段と、
前記予告演出実行手段により実行可能な複数の予告演出のうち第１予告演出を選択する第１予告演出選択手段と、
前記第１予告演出選択手段により選択された前記第１予告演出と予め対応付けられた第１予告特定用データを設定する第１予告特定用データ設定手段と、
前記第１予告特定用データ設定手段により設定された第１予告特定用データに基づいて、前記予告演出実行手段により実行可能な複数の予告演出のうち第２予告演出を選択する第２予告演出選択手段と、
第１予告禁止条件が成立したときに、前記予告演出実行手段による前記第１予告演出の実行を禁止する第１予告演出禁止手段とを備え、
前記第１予告演出禁止手段により前記第１予告演出の実行が禁止されるときでも、前記第１予告演出選択手段は前記第１予告演出を選択して、当該第１予告演出に基づいて、前記第２予告演出選択手段は前記第２予告演出を選択し、
前記第１予告演出選択手段は、互いに演出態様が異なる複数の所定予告演出のうちいずれかを前記第１予告演出として選択可能であり、
前記複数の所定予告演出はそれぞれ、予め定められた複数の予告演出種別のうちいずれかに含まれ、
前記第１予告特定用データ設定手段は、前記第１予告演出選択手段により前記第１予告演出として選択された所定予告演出が含まれる予告演出種別ごとに、異なるデータを前記第１予告特定用データとして設定する、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、識別情報の可変表示を行い、遊技者にとって有利な有利状態に制御可能な遊技機に関する。
【手続補正３】
【補正対象書類名】明細書
【補正対象項目名】０００７
【補正方法】変更
【補正の内容】
【０００７】
（１）  上記目的を達成するため、本願の請求項に係る遊技機は、識別情報（例えば特別図柄や飾り図柄など）の可変表示を行い、遊技者にとって有利な有利状態（例えば大当り遊技状態など）に制御可能な遊技機（例えばパチンコ遊技機１など）であって、識別情報の可変表示が開始されてから識別情報の表示結果が導出されるまでに、前記有利状態に制御されることを予告する複数の予告演出を実行可能な予告演出実行手段（例えばステップＳ４６４の処理を実行する演出制御用ＣＰＵ１２０など）と、前記予告演出実行手段により実行可能な複数の予告演出のうち第１予告演出（例えば変動開始時予告、全図柄変動中予告、図柄減速時予告、リーチ成立後予告のいずれかなど）を選択する第１予告演出選択手段（例えばステップＳ５０３〜Ｓ５０５、Ｓ５０９の処理のいずれかを実行する演出制御用ＣＰＵ１２０など）と、前記第１予告演出選択手段により選択された前記第１予告演出と予め対応付けられた第１予告特定用データ（例えば変動開始時予告のカテゴリ情報など）を設定する第１予告特定用データ設定手段（例えばステップＳ６０２の処理を実行する演出制御用ＣＰＵ１２０など）と、前記第１予告特定用データ設定手段により設定された第１予告特定用データに基づいて、前記予告演出実行手段により実行可能な複数の予告演出のうち第２予告演出（例えば全図柄変動中予告、図柄減速時予告、リーチ成立後予告、リーチ発展時予告のいずれかなど）を選択する第２予告演出選択手段（例えばステップＳ５０４、Ｓ５０５、Ｓ５０９、Ｓ５１３の処理のいずれかを実行する演出制御用ＣＰＵ１２０など）と、第１予告禁止条件が成立したときに、前記予告演出実行手段による前記第１予告演出の実行を禁止する第１予告演出禁止手段（例えばステップＳ４６２におけるＹｅｓの判定に基づいて、ステップＳ４６３、Ｓ４６４の処理を実行しない演出制御用ＣＰＵ１２０など）とを備え、前記第１予告演出禁止手段により前記第１予告演出の実行が禁止されるときでも、前記第１予告演出選択手段は前記第１予告演出を選択して、当該第１予告演出に基づいて、前記第２予告演出選択手段は前記第２予告演出を選択し（例えばステップＳ５０３〜Ｓ５０５、Ｓ５０９の処理は、変動パターンなどに基づくステップＳ４６２における判定結果にかかわらず実行される部分など）、前記第１予告演出選択手段は、互いに演出態様が異なる複数の所定予告演出のうちいずれかを前記第１予告演出として選択可能であり、前記複数の所定予告演出はそれぞれ、予め定められた複数の予告演出種別のうちいずれかに含まれ、前記第１予告特定用データ設定手段は、前記第１予告演出選択手段により前記第１予告演出として選択された所定予告演出が含まれる予告演出種別ごとに、異なるデータを前記第１予告特定用データとして設定する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
（２）  上記（１）の遊技機において、前記予告演出実行手段は、識別情報の可変表示が開始されてから識別情報の表示結果が導出されるまでに、所定の第１タイミング（例えば全図柄変動中のタイミングなど）にて前記第１予告演出（例えば全図柄変動中予告など）を実行可能であるとともに、前記第１タイミングよりも遅い第２タイミング（例えば図柄減速時のタイミングなど）にて前記第２予告演出（例えば図柄減速時予告など）を実行可能であり（例えばステップＳ５０３〜Ｓ５０５、Ｓ５０９、Ｓ５１３、Ｓ５１５の各処理における予告決定結果に対応して、ステップＳ４３３にて決定された予告演出制御パターンに基づきステップＳ４６４の処理を実行することにより、図１４に示すような各種の予告演出を実行する）、前記第１予告演出選択手段は、互いに異なる演出態様に対応して前記有利状態となる可能性の段階を異ならせた複数の第１所定段階予告演出のうちいずれかを前記第１予告演出として選択する第１段階予告選択手段（例えばステップＳ５０４の全図柄変動中予告決定処理を実行する演出制御用ＣＰＵ１２０など）を含み、前記第２予告演出選択手段は、互いに異なる演出態様に対応して前記有利状態となる可能性の段階を異ならせた複数の第２所定段階予告演出のうちいずれかを前記第２予告演出として選択する第２段階予告選択手段（例えばステップＳ５０５の図柄減速時予告決定処理を実行する演出制御用ＣＰＵ１２０など）を含み、前記第２段階予告選択手段は、前記第１段階予告選択手段により前記複数の第１所定段階予告演出のうちで前記有利状態となる可能性が第１通常段階よりも高い第１特定段階に対応した特定演出態様の第１特定段階予告演出が前記第１予告演出として選択された場合に、前記複数の第２所定段階予告演出のうちで前記有利状態となる可能性が第２特定段階よりも低い第２通常段階に対応した通常演出態様の第２通常段階予告演出を前記第２予告演出として選択しないまたは選択しにくいようにしてもよい（例えばステップＳ５０４、Ｓ５０５の処理により決定される予告演出には、全図柄変動中予告が高信頼度で図柄減速時予告が低信頼度となるものが含まれていない）。
【手続補正７】
【補正対象書類名】明細書
【補正対象項目名】００１２
【補正方法】変更
【補正の内容】
【００１２】
このような構成においては、複数のタイミングのうち所定の第１タイミングにて有利状態となる可能性が第１通常段階よりも高い第１特定段階に対応した特定演出態様の第１特定予告演出が実行可能となる場合に、第１タイミングよりも遅い第２タイミングにて有利状態となる可能性が第２特定段階よりも低い第２通常段階に対応した通常演出態様の第２通常予告演出が実行されないまたは実行されにくい。これにより、第１タイミングにて先に実行された第１予告演出により遊技者が一旦抱いた有利状態への期待感が、第２タイミングにて後に実行される第２予告演出によって損なわれてしまうことを防止して、遊技の興趣を向上させることができる。
【手続補正８】
【補正対象書類名】明細書
【補正対象項目名】００１４
【補正方法】変更
【補正の内容】
【００１４】
（３）  上記（２）の遊技機において、前記複数の第２所定段階予告演出のうちで前記有利状態となる可能性が最も高い第２最高段階に対応した第２最高段階予告演出は、前記複数の第１所定段階予告演出のうちで前記有利状態となる可能性が最も高い第１最高段階に対応した第１最高段階予告演出に比べて、前記有利状態となる可能性がより高いことを予告してもよい（例えばステップＳ５０３、Ｓ５０４にて決定される予告演出には、低信頼度または中信頼度の変動開始時予告と、低信頼度または中信頼度または高信頼度の全図柄変動中予告とが含まれている）。
【手続補正９】
【補正対象書類名】明細書
【補正対象項目名】００１５
【補正方法】変更
【補正の内容】
【００１５】
このような構成において、後に実行される第２予告演出により予告可能な有利状態となる可能性が最も高い段階は、先に実行される第１予告演出における最も高い段階よりも高くなる。これにより、遊技者の期待感を徐々に高めて遊技の興趣を向上させることができる。
【手続補正１０】
【補正対象書類名】明細書
【補正対象項目名】００１６
【補正方法】変更
【補正の内容】
【００１６】
（４）  上記（２）または（３）のいずれかの遊技機において、前記第２予告演出選択手段は、前記複数の第１所定段階予告演出により予告可能な前記有利状態となる可能性の段階数よりも、前記複数の第２所定段階予告演出により予告可能な前記有利状態となる可能性の段階数が多くなるように（例えばステップＳ５０３、Ｓ５０４にて決定される予告演出には、低信頼度または中信頼度の変動開始時予告と、低信頼度または中信頼度または高信頼度の全図柄変動中予告とが含まれている）、前記第２予告演出を選択してもよい。
【手続補正１１】
【補正対象書類名】明細書
【補正対象項目名】００１７
【補正方法】変更
【補正の内容】
【００１７】
このような構成においては、後に実行される第２予告演出により予告可能な有利状態となる可能性の段階数が、先に実行される第１予告演出よりも多くなる。これにより、先に実行された第１予告演出に応じて実行可能な第２予告演出が減少してしまうことを防止して、遊技の興趣を向上させることができる。